(57)【要約】【課題】救出口の位置に関わりなく、かごの内側に閉じ込められていた乗客が救出口から慌てて飛び出してしまうことを抑制することができるエレベータ救出装置を得る。【解決手段】救出口１２が形成された被救出かご１Ａの外側に設けられ、被救出かご１Ａの内側の乗客が救出口１２を通って被救出かご１Ａの外側に移動することを規制する２つの落下防止枠５を備え、それぞれの落下防止枠５は、救出口１２を幅方向に跨いでいおり、それぞれの落下防止枠５は、高さ方向に離れて配置されている。【選択図】図１
2017206364.tif 000002
【特許請求の範囲】
【請求項１】
救出口が形成された第１かごの外側に設けられ、前記第１かごの内側の乗客が前記救出口を通って前記第１かごの外側に移動することを規制する落下防止部を備えているエレベータ救出装置。
【請求項２】
前記落下防止部は、前記救出口を幅方向に跨いでいる請求項１に記載のエレベータ救出装置。
【請求項３】
前記救出口を開閉する救出口扉に設けられ前記第１かごの外側から操作可能な施錠装置を、前記第１かごに隣り合う第２かごから操作可能な鍵外し棒をさらに備えている請求項１または請求項２に記載のエレベータ救出装置。
【請求項４】
前記鍵外し棒は、前記第２かごから前記施錠装置に形成された穴部に引っ掛けられる突起部を有している請求項３に記載のエレベータ救出装置。
【発明の詳細な説明】
【技術分野】
【０００１】
この発明は、かごが故障した場合にかごから乗客が救出されるエレベータ救出装置に関する。
【背景技術】
【０００２】
従来、救出口が形成されたかごと、かごに設けられ、救出口を開閉する救出口扉と、かごの内側に設けられた手摺とを備え、手摺は、救出口を幅方向に跨ぐように配置される横向き位置と、救出口よりも幅方向外側に配置される縦向き位置との間で変位するエレベータが知られている（例えば、特許文献１参照）。
【先行技術文献】
【特許文献】
【０００３】
【特許文献１】特開平５−２０１６６１号公報
【発明の概要】
【発明が解決しようとする課題】
【０００４】
しかしながら、手摺はかごの側壁の幅方向中央部に配置されているので、救出口がかごの側壁の幅方向端部に配置されている場合には、救出口を幅方向に跨ぐように手摺を配置することができない。その結果、救出口扉が閉位置から開位置に変位して、救出口が開いた場合に、かごの内側に閉じ込められていた乗客が救出口から慌てて飛び出してしまう恐れがあるという課題があった。
【０００５】
この発明は、上述のような課題を解決するためになされたもので、救出口の位置に関わりなく、かごの内側に閉じ込められていた乗客が救出口から慌てて飛び出してしまうことを抑制することができるエレベータ救出装置エレベータ救出装置を提供するものである。
【課題を解決するための手段】
【０００６】
この発明に係るエレベータ救出装置は、救出口が形成された第１かごの外側に設けられ、第１かごの内側の乗客が救出口を通って第１かごの外側に移動することを規制する落下防止部を備えている。
【発明の効果】
【０００７】
この発明に係るエレベータ救出装置によれば、救出口が形成された第１かごの外側に設けられ、第１かごの内側の乗客が救出口を通って第１かごの外側に移動することを規制する落下防止部を備えているので、救出口の位置に関わりなく、かごの内側に閉じ込められていた乗客が救出口から慌てて飛び出してしまうことを抑制することができる。
【図面の簡単な説明】
【０００８】
【図１】この発明の実施の形態１に係るエレベータ救出装置を示す正面図である。
【図２】図１のエレベータ救出装置を示す平面図である。
【図３】図１の救出口扉が変位した状態を示す正面図である。
【図４】図２の救出口扉が変位した状態を示す平面図である。
【図５】図４のつまみねじが落下防止枠本体および取付台から取り外された状態を示す平面図である。
【図６】図３の落下防止枠本体が変位した状態を示す正面図である。
【図７】図５の落下防止枠本体が変位した状態を示す平面図である。
【図８】図１の救出口扉を閉位置から開位置に変位させる様子を示す側面図である。
【図９】図１の救出口扉が開位置に変位した状態を示す側面図である。
【図１０】図８の鍵外し棒を示す正面図である。
【図１１】図９のエレベータ救出装置を示す平面図である。
【図１２】図１１のＸＩＩ−ＸＩＩ線に沿った矢視断面図である。
【図１３】図１２の渡し板を示す正面図である。
【図１４】図１３の渡し板を示す平面図である。
【図１５】図１３の渡し板を示す側面図である。
【図１６】図１２の落下防止柵を示す正面図である。
【図１７】図９の被救出かごと救出かごとに渡って渡し板を設置した状態を示す平面図である。
【図１８】図１７のＸＶＩＩＩ−ＸＶＩＩＩ線に沿った矢視断面図である。
【図１９】図９の穴部に突起部を引っ掛ける様子を示す側面図である。
【図２０】図１０の鍵外し棒を用いて救出口扉を変位させる様子を示す平面図である。
【発明を実施するための形態】
【０００９】
実施の形態１．
図１はこの発明の実施の形態１に係るエレベータ救出装置を示す正面図、図２は図１のエレベータ救出装置を示す平面図である。エレベータのかご１の側壁１１には、救出口１２を開閉する救出口扉１３が取り付けられている。図１では、かご１の外側からエレベータ救出装置を示している。
【００１０】
この例では、エレベータの側壁１１における救出口１２を挟む一対の部分の中の一方を救出口隣接一方壁部１１Ａとし、他方を救出口隣接他方壁部１１Ｂとする。
【００１１】
救出口隣接一方壁部１１Ａには、高さ方向に延びる２つの回転中心軸２が設けられている。２つの回転中心軸２は、高さ方向に互いに離れて配置されている。救出口扉１３の幅方向一端部は、回転中心軸２に取り付けられている。
【００１２】
図３は図１の救出口扉１３が変位した状態を示す正面図、図４は図２の救出口扉１３が変位した状態を示す平面図である。救出口扉１３は、回転中心軸２を中心に回転する。救出口扉１３が回転することによって、救出口扉１３は、救出口１２が閉じられる閉位置と、救出口１２が開く開位置との間で変位する。救出口扉１３が閉位置から開位置に変位する場合に、救出口扉１３における回転中心軸２から径方向に最も離れた部分は、かご１の内側に向かうように移動する。図１および図２では、救出口扉１３が閉位置にある状態を示し、図３および図４では、救出口扉１３が開位置にある状態を示している。
【００１３】
また、救出口隣接一方壁部１１Ａには、取付台３が固定されている。救出口隣接他方壁部１１Ｂには、取付台４が固定されている。取付台３と取付台４とに渡って、落下防止部である落下防止枠５が設けられている。落下防止枠５は、救出口１２を幅方向に跨いでいる。落下防止枠５は、かご１の内側の乗客が救出口１２を通ってかご１の外側に移動することを規制する。
【００１４】
落下防止枠５は、取付台３に設けられるヒンジ部５１と、ヒンジ部５１を中心に回動する落下防止枠本体５２と、落下防止枠本体５２と取付台４とを固定するつまみねじ５３とを有している。落下防止枠本体５２の幅方向一端部は、ヒンジ部５１に取り付けられている。この例では、２つの落下防止枠５が高さ方向に互いに離れて配置されている。落下防止枠本体５２には、つまみねじ５３が挿入される図示しない貫通孔が形成されている。取付台４には、つまみねじ５３が挿入される図示しないねじ孔が形成されている。つまみねじ５３が、落下防止枠本体５２の貫通孔に挿入された状態で、取付台４のねじ孔に挿入されることによって、落下防止枠本体５２が取付台４に対して固定される。
【００１５】
図５は図４のつまみねじ５３が落下防止枠本体５２および取付台４から取り外された状態を示す平面図、図６は図３の落下防止枠本体５２が変位した状態を示す正面図、図７は図５の落下防止枠本体５２が変位した状態を示す平面図である。つまみねじ５３が落下防止枠本体５２の貫通孔および取付台４のねじ孔から引き抜かれた場合に、落下防止枠本体５２は、ヒンジ部５１を中心に回転可能となる。落下防止枠本体５２が回転することによって、落下防止枠本体５２は、落下防止枠５が救出口１２の幅方向に跨ぐ落下防止位置と、落下防止枠本体５２が救出口１２の奥行方向に延びる通行可能位置との間で変位する。落下防止枠本体５２が落下防止位置から通行可能位置に変位する場合に、落下防止枠本体５２におけるヒンジ部５１から径方向に最も離れた部分は、かご１の内側に向かうように移動する。落下防止枠本体５２が通行可能位置である場合に、落下防止枠本体５２は、救出口１２に挿入される。したがって、落下防止枠本体５２は、救出口扉１３が開位置である場合にのみ、落下防止位置から通行可能位置に変位可能となる。図３および図４では、落下防止枠本体５２が落下防止位置にある状態を示し、図６及び図７では、落下防止枠本体５２が通行可能位置にある状態を示している。
【００１６】
図８は図１の救出口扉１３を閉位置から開位置に変位させる様子を示す側面図、図９は図１の救出口扉１３が開位置に変位した状態を示す側面図である。救出口扉１３には、施錠装置６が設けられている。施錠装置６は、操作されることによって、救出口扉を施錠する施錠位置と、救出口扉が開錠される解錠位置との間で変位する。
【００１７】
この例では、隣り合うかご１の中の一方を、第１かごである被救出かご１Ａとし、他方を第２かごである救出かご１Ｂとする。
【００１８】
被救出かご１Ａの施錠装置６には、穴部６１が形成されている。被救出かご１Ａの施錠装置６は、被救出かご１Ａの外側から操作可能となっている。さらに、被救出かご１Ａの施錠装置６は、救出かご１Ｂから鍵外し棒７を用いて操作可能となっている。鍵外し棒７を用いて施錠装置６を施錠位置から解錠位置に変位した後、鍵外し棒７を用いて、救出かご１Ｂから被救出かご１Ａの救出口扉１３を閉位置から開位置に変位させることができる。
【００１９】
図１０は図８の鍵外し棒７を示す正面図である。鍵外し棒７は、施錠装置６の穴部６１に挿入される突起部７１と、先端部に突起部７１が固定された柄７２とを有している。救出口扉１３の位置が開位置である場合に、突起部７１が穴部６１に引っ掛けられた状態で鍵外し棒７を被救出かご１Ａから救出かご１Ｂに向かって引っ張ることによって、救出口扉１３が開位置から閉位置に変位する。
【００２０】
図示していないが、救出かご１Ｂの施錠装置は、救出かご１Ｂの内側から操作可能となっている。
【００２１】
図１１は図９のエレベータ救出装置を示す平面図、図１２は図１１のＸＩＩ−ＸＩＩ線に沿った矢視断面図である。エレベータ救出装置は、被救出かご１Ａの床と、救出かご１Ｂの床とに渡って設けられる渡し板８と、渡し板８に固定される２つの落下防止柵９と、落下防止柵９を渡し板８に固定する複数のボルト１０とをさらに備えている。２つの落下防止柵９は、渡し板８の幅方向両端部に固定されている。落下防止柵９は、渡し板８に立てられている。
【００２２】
図１３は図１２の渡し板８を示す正面図、図１４は図１３の渡し板８を示す平面図、図１５は図１３の渡し板８を示す側面図である。渡し板８は、断面Ｕ字形状に形成されている。渡し板８は、床部８１と、床部８１の幅方向両端部から高さ方向に延びる２つの縦板部８２とを有している。縦板部８２には、ボルト１０が挿入される複数のねじ孔８３が形成されている。ボルト１０は、渡し板８の内側から外側に向かってねじ孔８３に挿入される。
【００２３】
図１６は図１２の落下防止柵９を示す正面図である。落下防止柵９の長手方向両端部には、ボルト１０が挿入される複数の貫通孔９１が形成されている。それぞれの貫通孔９１は、落下防止柵９における下部に配置されている。落下防止柵９の下部は、縦板部８２に重ねられる。２つの落下防止柵９は、縦板部８２よりも幅方向内側に配置される。ボルト１０が貫通孔９１、ねじ孔８３の順に挿入されることによって、落下防止柵９は、渡し板８に固定される。落下防止柵９は、渡し板８を通る乗客が落下防止柵９から落下することを防止する。
【００２４】
次に、被救出かご１Ａに閉じ込められた乗客を救出する手順について説明する。図８に示すように、救出保守員が乗った救出かご１Ｂに到着すると、救出保守員は、救出かご１Ｂの救出口扉１３を閉位置から開位置に変位させ、さらに、鍵外し棒７を用いて、救出かご１Ｂから被救出かご１Ａの施錠装置６を操作する。これにより、施錠装置６が施錠位置から解錠位置に変位する。このとき、被救出かご１Ａの落下防止枠本体５２および救出かご１Ｂの落下防止枠本体５２のそれぞれの位置は、落下防止位置である。したがって、鍵外し棒７を用いて施錠装置６を操作する保守員が救出かご１Ｂの救出口１２から落下することが防止され、被救出かご１Ａに閉じ込められている乗客が被救出かご１Ａから飛び出すことが防止される。
【００２５】
図１７は図９の被救出かご１Ａと救出かご１Ｂとに渡って渡し板８を設置した状態を示す平面図、図１８は図１７のＸＶＩＩＩ−ＸＶＩＩＩ線に沿った矢視断面図である。その後、救出保守員は、救出かご１Ｂから被救出かご１Ａに渡し板８を架け渡す。このとき、被救出かご１Ａの落下防止枠本体５２および救出かご１Ｂの落下防止枠本体５２のそれぞれの位置は、落下防止位置である。したがって、渡し板８を架け渡す救出保守員が救出かご１Ｂの救出口１２から落下することが防止され、被救出かご１Ａに閉じ込められている乗客が被救出かご１Ａから飛び出すことが防止される。
【００２６】
その後、救出かご１Ｂの落下防止枠本体５２を落下防止位置から通行可能位置に変位させ、さらに、ボルト１０を用いて、落下防止柵９における救出かご１Ｂ側の部分を渡し板８に固定する。
【００２７】
その後、救出保守員は、渡し板８を通り、ボルト１０を用いて、落下防止柵９における被救出かご１Ａ側の部分を渡し板８に固定する。
【００２８】
その後、救出保守員は、被救出かご１Ａの落下防止枠本体５２を落下防止位置から通行可能位置に変位させる。これにより、図１１および図１２に示すように、被救出かご１Ａに閉じ込められた乗客が救出かご１Ｂに移動可能となる。
【００２９】
図１９は図９の穴部６１に突起部７１を引っ掛ける様子を示す側面図、図２０は図１０の鍵外し棒７を用いて救出口扉１３を変位させる様子を示す平面図である。被救出かご１Ａに閉じ込められた乗客を救出した後に、救出保守員は、救出かご１Ｂから、鍵外し棒７の突起部７１を施錠装置６の穴部６１に引っ掛ける。さらに、救出保守員は、救出かご１Ｂから鍵外し棒７を救出かご１Ｂ側に引っ張る。これにより、被救出かご１Ａの救出口扉１３が開位置から閉位置に変位する。以上により、被救出かご１Ａに閉じ込められた乗客の救出が終了する。
【００３０】
以上説明したように、この発明の実施の形態１に係るエレベータ救出装置によれば、救出口１２が形成された被救出かご１Ａの外側に設けられ、被救出かご１Ａの内側の乗客が救出口１２を通って被救出かご１Ａの外側に移動することを規制する落下防止枠５を備えているので、救出口１２の位置に関わりなく、被救出かご１Ａ内に閉じ込められていた乗客が救出口１２から慌てて飛び出してしまうことを抑制することができる。また、被救出かご１Ａの内側に手摺が配置されていない場合であっても、被救出かご１Ａ内に閉じ込められていた乗客が救出口１２から慌てて飛び出してしまうことを抑制することができる。また、被救出かご１Ａの内側に手摺が配置されている場合であっても、手摺には回転機構を設ける必要がないので、被救出かご１Ａ内の意匠的な制限が生じることを防止することができる。また、救出かご１Ｂにも、落下防止枠５が設けられているので、救出かご１Ｂの救出口１２が開く場合に、救出保守員が救出口１２から落下することを防止することができる。
【００３１】
また、落下防止枠５は、救出口１２を幅方向に跨いでいるので、被救出かご１Ａ内に閉じ込められていた乗客が救出口１２から慌てて飛び出してしまうことをより確実に抑制することができる。
【００３２】
また、このエレベータ救出装置は、救出口１２を開閉する救出口扉１３に設けられ被救出かご１Ａの外側から操作可能な施錠装置６を、救出かご１Ｂから操作可能な鍵外し棒７を備えているので、救出保守員は、救出かご１Ｂに乗った状態で、被救出かご１Ａの施錠装置６を施錠位置から解錠位置に変位させることができる。
【００３３】
また、鍵外し棒７は、救出かご１Ｂから施錠装置６に形成された穴部６１に引っ掛けられる突起部７１を有しているので、救出保守員は、救出かご１Ｂに乗った状態で、被救出かご１Ａの救出口扉１３を開位置から閉位置に変位させることができる。
【符号の説明】
【００３４】
１  かご、１Ａ  被救出かご、１Ｂ  救出かご、２  回転中心軸、３  取付台、４  取付台、５  落下防止枠、６  施錠装置、７  鍵外し棒、１０  ボルト、１１  側壁、１１Ａ  救出口隣接一方壁部、１１Ｂ  救出口隣接他方壁部、１２  救出口、１３  救出口扉、５１  ヒンジ部、５２  落下防止枠本体、５３  つまみねじ、６１  穴部、７１  突起部、７２  柄、８１  床部、８２  縦板部、８３  孔。
【図１】
2017206364.tif 000003
【図２】
2017206364.tif 000004
【図３】
2017206364.tif 000005
【図４】
2017206364.tif 000006
【図５】
2017206364.tif 000007
【図６】
2017206364.tif 000008
【図７】
2017206364.tif 000009
【図８】
2017206364.tif 000010
【図９】
2017206364.tif 000011
【図１０】
2017206364.tif 000012
【図１１】
2017206364.tif 000013
【図１２】
2017206364.tif 000014
【図１３】
2017206364.tif 000015
【図１４】
2017206364.tif 000016
【図１５】
2017206364.tif 000017
【図１６】
2017206364.tif 000018
【図１７】
2017206364.tif 000019
【図１８】
2017206364.tif 000020
【図１９】
2017206364.tif 000021
【図２０】
2017206364.tif 000022